【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
ベース基板と、
前記ベース基板の一面に配置された駆動チップと、
前記ベース基板の第１面に形成され、前記駆動チップの入力端子と電気的に連結された入力伝送ラインと、
前記ベース基板の前記第１面に形成され、前記駆動チップの出力端子と電気的に連結された出力伝送ラインと、
前記入力伝送ライン及び前記出力伝送ラインを電気的に連結する連結伝送ラインと、を含むことを特徴とするフレキシブル回路基板。
【請求項２】
前記連結伝送ラインは、前記駆動チップの下部と対応される領域に形成されることを特徴とする請求項１記載のフレキシブル回路基板。
【請求項３】
前記連結伝送ラインは、前記ベース基板の前記第１面または前記第１面と対応する第２面に形成されることを特徴とする請求項１記載のフレキシブル回路基板。
【請求項４】
前記ベース基板の前記第１面に形成され、前記駆動チップの連結端子とはんだ付けによって結合され、前記駆動チップを前記ベース基板の前記第１面に固定させる内部パッドを更に含むことを特徴とする請求項１記載のフレキシブル回路基板。
【請求項５】
前記入力伝送ライン、前記出力伝送ライン、及び前記連結伝送ラインをカバーして保護し、前記内部パッドと対応される領域が開口された保護層を更に含むことを特徴とする請求項４記載のフレキシブル回路基板。
【請求項６】
前記内部パッドは、前記入力伝送ラインと電気的に連結された入力内部パッド及び前記出力伝送ラインと電気的に連結される出力内部パッドを含むことを特徴とする請求項４記載のフレキシブル回路基板。
【請求項７】
前記連結伝送ラインは、前記入力内部パッド及び前記出力内部パッドの間を電気的に連結することを特徴とする請求項６記載のフレキシブル回路基板。
【請求項８】
前記連結伝送ラインの抵抗は、０．０１Ω〜１Ωの範囲を有することを特徴とする請求項１記載のフレキシブル回路基板。
【請求項９】
画像を表示する表示パネルと、
前記画像を表示するためのデータ制御信号及びゲート制御信号を発生させる印刷回路基板と、
前記表示パネルの一端部及び前記印刷回路基板と電気的に連結され、前記データ制御信号及び前記ゲート制御信号を前記表示パネルに伝送するデータフレキシブル回路基板と、
前記表示パネルの他端部に電気的に連結され、ベース基板、前記ベース基板の第１面に配置され前記表示パネルから前記ゲート制御信号を印加受ける駆動チップ、及び前記駆動チップの下部と対応される領域に形成され前記ゲート制御信号を伝送する連結伝送ラインを有するゲートフレキシブル回路基板と、を含むことを特徴とするディスプレイユニット。
【請求項１０】
光を利用して画像を表示するディスプレイユニットと、
前記ディスプレイユニットに光を提供するバックライトアセンブリと、を含み、
前記ディスプレイユニットは、
画像を表示する表示パネルと、
画像を表示するためのデータ制御信号及びゲート制御信号を発生させる印刷回路基板と、
前記表示パネルの一端部及び前記印刷回路基板と電気的に連結され、前記データ制御信号及び前記ゲート制御信号を前記表示パネルに伝送するデータフレキシブル回路基板と、
前記表示パネルの他端部と電気的に連結され、ベース基板、前記ベース基板の一面に配置され前記表示パネルから前記ゲート制御信号の印加を受ける駆動チップ、及び前記駆動チップの下部と対応される領域に形成され前記ゲート制御信号を伝送する連結伝送ラインを有するゲートフレキシブル回路基板と、を含むことを特徴とする表示装置。
【手続補正２】
【補正対象書類名】明細書
【補正対象項目名】全文
【補正方法】変更
【補正の内容】
【発明の詳細な説明】
【発明の名称】フレキシブル回路基板、これを有するディスプレイユニット、及び表示装置
【技術分野】
【０００１】
本発明は、フレキシブル回路基板、これを有するディスプレイユニット、及び表示装置に関する。
【背景技術】
【０００２】
液晶表示装置は、液晶の光透過率を利用して画像を表示するディスプレイユニット及び前記ディスプレイユニットの下部に配置され前記ディスプレイユニットに光を提供するバックライトアセンブリを含む。
【０００３】
前記ディスプレイユニットは、薄膜トランジスタが形成された第１基板と、カラーフィルタが形成された第２基板と、前記第１及び第２基板の間に介在された液晶層と、前記薄膜トランジスタを駆動するための制御信号を発生する印刷回路基板と、前記第１基板及び前記印刷回路基板を電気的に連結して前記制御信号を前記第１基板に伝送するフレキシブル回路基板を具備する。
【０００４】
前記印刷回路基板は、一般的にデータ印刷回路基板及びゲート印刷回路基板で構成される。これによって、前記フレキシブル回路基板は、前記データ印刷回路基板と前記第１基板のデータ配線を電気的に連結させるデータフレキシブル回路基板と、前記ゲート印刷回路基板と前記第１基板のゲート配線を電気的に連結させるゲートフレキシブル回路基板を含む。
【０００５】
最近では、体積を減少させ小型化を図るために、前記ゲート印刷回路基板が省略された液晶表示装置が開発された。このような液晶表示装置では、前記データ印刷回路基板が前記データフレキシブル回路基板のみならず、前記ゲートフレキシブル回路基板も制御する。
【発明の開示】
【発明が解決しようとする課題】
【０００６】
しかし、前記駆動チップの内部配線は、駆動チップ毎に不均一で相当に高い抵抗値を有し、これによって前記ゲート制御信号の遅延が発生する。このようなゲート制御信号のデレイは、前記ゲート信号に悪影響を及ぼし、これによって前記液晶表示装置の表示品質が低下する。
【０００７】
従って、本発明の技術的課題は、このような従来の問題点を解決するためのもので、本発明の目的は液晶表示装置の表示品質を向上することが可能なフレキシブル回路基板を提供することにある。
【０００８】
本発明の他の目的は、前記フレキシブル回路基板を有するディスプレイユニットを提供することにある。
【０００９】
本発明の更に他の目的は、前記ディスプレイユニットを有する表示装置を提供することにある。
【課題を解決するための手段】
【００１０】
前記した本発明の目的を達成するための本発明１によるフレキシブル回路基板は、ベース基板、駆動チップ、入力伝送ライン、出力伝送ライン、及び連結伝送ラインを含む。
【００１１】
前記駆動チップは、前記ベース基板の一面に配置される。前記入力伝送ラインは前記ベース基板の一面に形成され、前記駆動チップの入力端子と電気的に連結される。前記出力伝送ラインは前記ベース基板の一面に形成され、前記駆動チップの出力端子と電気的に連結される。前記連結伝送ラインは、前記入力伝送ライン及び前記出力伝送ラインを電気的に連結する。
入力伝送ラインと出力伝送ラインとは、これらのラインを連結する専用の連結伝送ラインにより連結されている。よって、駆動チップの入力端子に入力された信号は、連結伝送ラインを介して出力端子に出力される。このとき、専用の連結伝送ラインとして抵抗の低い配線を用いた場合、伝達される信号の抵抗を低い値とすることができる。よって、伝達される信号の遅延を防止して、画像の表示品質をより向上させることができる。
発明２は、発明１において、前記連結伝送ラインは、前記駆動チップの下部と対応される領域に形成されることを特徴とする。
発明３は、発明１において、前記連結伝送ラインは、前記ベース基板の前記第１面または前記第１面と対応する第２面に形成されることを特徴とする。
前記連結伝送ラインは、前記ベース基板の前記第１面と対向する第２面に形成されることを特徴とすると好ましい。
前記ベース基板の前記第１面に形成され、前記駆動チップのゲート端子と電気的に連結されるゲート伝送ラインを更に含むことを特徴とすると好ましい。
前記入力伝送ライン及び前記出力伝送ラインをカバーして保護する保護層を更に含むことを特徴とすると好ましい。
保護層により、入力伝送ライン及び出力伝送ラインにより伝達される信号にノイズが発生するのを防止することができると好ましい。
前記保護層は、前記駆動チップの下部と対応される領域に開口されたことを特徴とすると好ましい。
この開口部分に駆動チップのパッドを設けることで、駆動チップのパッドと入力伝送ラインや出力伝送ラインとを接続することができる。
発明４は、発明１において、前記ベース基板の前記第１面に形成され、前記駆動チップの連結端子とはんだ付けによって結合され、前記駆動チップを前記ベース基板の前記第１面に固定させる内部パッドを更に含むことを特徴とする。
発明５は、発明４において、前記入力伝送ライン、前記出力伝送ライン、及び前記連結伝送ラインをカバーして保護し、前記内部パッドと対応される領域が開口された保護層を更に含むことを特徴とする。
入力伝送ライン、出力伝送ライン、及び連結伝送ラインが保護層により保護されるため、これらのラインにより伝送されるゲート制御信号やゲート信号にノイズが発生することを抑制することができる。
発明６は、発明４において、前記内部パッドは、前記入力伝送ラインと電気的に連結された入力内部パッド及び前記出力伝送ラインと電気的に連結される出力内部パッドを含むことを特徴とする。
発明７は、発明６において、前記連結伝送ラインは、前記入力内部パッド及び前記出力内部パッドの間を電気的に連結することを特徴とする。
発明８は、発明１において、前記連結伝送ラインの抵抗は、０．０１Ω〜１Ωの範囲を有することを特徴とする。
連結伝送ラインの抵抗値が低いため、連結伝送ラインにより伝達される信号の遅延をさらに防止することができる。
【００１２】
前記した本発明の他の目的を達成するための本発明９によるディスプレイユニットは、表示パネル、印刷回路基板、データフレキシブル回路基板、及びゲートフレキシブル回路基板を含む。
【００１３】
前記表示パネルは、画像を表示する。前記印刷回路基板は、画像を表示するためのデータ制御信号及びゲート制御信号を発生させる。前記データフレキシブル回路基板は、前記表示パネルの一端部及び前記印刷回路基板と電気的に連結され、前記データ制御信号及び前記ゲート制御信号を前記表示パネルに伝送する。前記ゲートフレキシブル回路基板は、前記表示パネルの一端部と垂直な他端部と電気的に連結され、ベース基板と、前記ベース基板の一面に配置され、前記表示パネルから前記ゲート制御信号の印加を受ける駆動チップと、前記駆動チップの下部と対応される領域に形成され前記ゲート制御信号を伝送する連結伝送ラインを含む。本発明は、発明１と同様の作用効果を奏する。
前記ゲートフレキシブル回路基板は、  前記ベース基板の前記第１面に形成され、前記表示パネルから印加された前記ゲート制御信号を前記駆動チップの入力端子に伝送する入力伝送ラインと、前記ベース基板の前記第１面に形成され前記連結伝送ラインによって前記入力伝送ラインと電気的に連結され、前記連結伝送ラインを通じて伝送された前記ゲート制御信号を前記表示パネルに伝送する出力伝送ラインと、を更に含むことを特徴とすると好ましい。
前記フレキシブル回路基板は、前記ベース基板の前記第１面に形成され前記駆動チップの連結端子とはんだ付けによって結合される内部パッドを更に含むことを特徴とすると好ましい。
前記内部パッドは、前記入力伝送ラインと電気的に連結された入力内部パッド及び前記出力伝送ラインと電気的に連結される出力内部パッドを含むことを特徴とすると好ましい。
前記連結伝送ラインは、前記入力内部パッド及び前記出力内部パッドの間を電気的に連結することを特徴とすると好ましい。
前記表示パネルは、前記ゲート制御信号を伝送するためのゲート制御配線を更に含むことを特徴とすると好ましい。
前記表示パネルは、薄膜トランジスタを有する第１基板と、前記第１基板と対向する第２基板と、前記第１及び第２基板の間に介在された液晶層と、を含むことを特徴とすると好ましい。
前記第１基板は互いに交差されるように形成され、前記薄膜トランジスタと電気的に連結されたゲート配線及びデータ配線を更に含むことを特徴とすると好ましい。
前記ゲートフレキシブル回路基板は前記表示パネルの前記ゲート配線と電気的に連結され、前記データフレキシブル回路基板は前記データ配線と電気的に連結されることを特徴とすると好ましい。
前記ゲートフレキシブル回路基板は、前記駆動チップのゲート端子及び前記表示パネルのゲート配線を電気的に連結するゲート伝送ラインを更に含むことを特徴とすると好ましい。
【００１４】
前記した本発明の更に他の目的を達成するための発明１０による表示装置は、光を利用して画像を表示するディスプレイユニット及び前記ディスプレイユニットに光を提供するバックライトアセンブリを含む。
【００１５】
前記ディスプレイユニットは、画像を表示する表示パネルと、画像を表示するためのデータ制御信号及びゲート制御信号を発生させる印刷回路基板と、前記表示パネルの一端部及び前記印刷回路基板と電気的に連結され、前記データ制御信号及び前記ゲート制御信号を前記表示パネルに伝送するデータフレキシブル回路基板と、前記表示パネルの一端部と垂直な他端部と電気的に連結されたゲートフレキシブル回路基板を含む。
【００１６】
前記ゲートフレキシブル回路基板は、ベース基板と、前記ベース基板の一面に配置され、前記表示パネルから前記ゲート制御信号の印加を受ける駆動チップと、前記駆動チップの下部と対応される領域に形成され前記ゲート制御信号を伝送する連結伝送ラインを含む。本発明は、第１発明と同様の作用効果を奏する。
前記ゲートフレキシブル回路基板は、前記ベース基板の前記一面に形成され、前記表示パネルから印加された前記ゲート制御信号を前記駆動チップの入力端子に伝送する入力伝送ラインと、前記ベース基板の前記一面に形成され前記連結伝送ラインによって前記入力伝送ラインと電気的に連結され、前記連結伝送ラインを通じて伝送された前記ゲート制御信号を前記表示パネルに伝送する出力伝送ラインを更に含むことを特徴とすると好ましい。
【発明の効果】
【００１７】
本発明によれば、液晶表示装置の表示品質を向上することが可能なフレキシブル回路基板、ディスプレイユニット、表示装置を提供することができる。
【発明を実施するための最良の形態】
【００１８】
以下、添付図面を参照して、本発明の好ましい実施例をより詳細に説明する。
【００１９】
図１は、本発明の一実施例による表示装置を示す斜視図である。
【００２０】
図１を参照すると、本実施例による表示装置は、光を利用して画像を表示するディスプレイユニット１００、ディスプレイユニット１００に光を提供するバックライトアセンブリ２００、及びバックライトアセンブリ２００と結合されディスプレイユニット１００を固定させるトップシャーシ３００を含む。
【００２１】
ディスプレイユニット１００は、第１基板１１０、第２基板１２０、液晶層１３０、印刷回路基板１４０、データフレキシブル回路基板１５０、及びゲートフレキシブル回路基板１６０を含む。まず、ディスプレイユニット１００の構成要素について簡略に説明し、後に別の図面を利用して詳細に説明する。
【００２２】
第１基板１１０は、マトリックス形態に配置された複数の画素電極、前記各画素電極に駆動電圧を印加する薄膜トランジスタ、前記薄膜トランジスタに連結された信号線を含む。
【００２３】
第２基板１２０は、第１基板１１０と向かい合うように配置される。第２基板１２０は、基板の全面に配置され透明で導電性である共通電極及び前記画素電極と向かい合う位置に配置されたカラーフィルタを含む。前記カラーフィルタには、赤色カラーフィルタ、緑色カラーフィルタ、及び青色カラーフィルタ等がある。
【００２４】
液晶層１３０は、第１基板１１０及び第２基板１２０の間に介在された液晶で構成され、前記画素電極及び前記共通電極の間に形成された電場によって再配列される。再配列された液晶層１３０は、外部から印加された光の光透過率を調節し、光透過率が調節された光は前記カラーフィルタを通過することにより画像を表示する。
【００２５】
印刷回路基板１４０は、第１基板１１０の一端部と向かい合うように配置される。印刷回路基板１４０は、画像信号を処理する駆動回路を含み、前記駆動回路は、外部から入力された画像信号を画像を表示するためのデータ制御信号及びゲート制御信号に変更させる。
【００２６】
データフレキシブル回路基板１５０は、印刷回路基板１４０と第１基板１１０の一端部を電気的に連結させる。データフレキシブル回路基板１５０は、前記データ制御信号及び前記ゲート制御信号を第１基板１１０に伝送する。
【００２７】
ゲートフレキシブル回路基板１６０は、第１基板１１０の一端部と垂直な他端部に配置される。前記他端部は、印刷回路基板１４０を向かい合うことができる。ゲートフレキシブル回路基板１６０は、第１基板１１０に伝送されたゲート制御信号によって制御される。
【００２８】
バックライトアセンブリ２００はディスプレイユニット１００の下部に配置され、収納容器２１０、ランプ２２０、ランプサポーター２３０、サイドモールド２４０、及び光学部材２５０を含む。
【００２９】
収納容器２１０は底部及び側部を含み、ランプ２２０、ランプサポーター２３０、サイドモールド２４０、及び光学部材２５０を収納する。
【００３０】
ランプ２２０は光を発生させる。一例として、ランプ２２０は熱放出量が低く、寿命が長い冷陰極蛍光ランプ（ＣＣＦＬ）であるが、これに限定されない。ランプ２２０は棒形状を有し、収納容器２１０内に複数個が並列に配置される。
【００３１】
ランプサポーター２３０は収納容器２１０に収納され、収納容器２１０の底部から所定距離だけ離隔するようにランプ２２０を支持する。
【００３２】
サイドモールド２４０は、収納容器２１０内に互いに向かい合って一対が配置され、ランプ２２０の両側端部をカバーする。
【００３３】
光学部材２５０はランプ２２０の上部に配置され、ランプ２２０から発生された光の光学特性を向上させる。光学部材２５０は、例えば、拡散板２５２及び少なくとも１つのプリズムシート２５４を含む。拡散板２５２はランプ２２０の上部に配置され、ランプ２２０から発生された光を拡散させる。プリズムシート２５４は拡散板２５２の上部に配置され、拡散板２５２を透過した光を集光させて正面輝度を向上させる。
【００３４】
本実施例によるバックライトアセンブリ２００は、ディスプレイユニット１００の下部に複数のランプ２２０が配置された直下型タイプを一例として説明したが、これと異なり、導光板及び前記導光板のエッジに光源が配置されたエッジ型タイプであり得る。
【００３５】
トップシャーシ３００はディスプレイユニット１００のエッジを囲み、収納容器２１０の側部と結合されディスプレイユニット１００をバックライトアセンブリ２００の上部に固定させる。トップシャーシ３００は、外部から加わる衝撃及び振動によって脆性の弱いディスプレイユニット１００の破損又は損傷を防止し、ディスプレイユニット１００が収納容器２１０から離脱されることを防止する。
【００３６】
図２は、図１の表示装置のうち、ディスプレイユニットを拡大して示す平面図である。
【００３７】
図２を参照すると、本実施例によるディスプレイユニット１００は、第１基板１１０、第２基板１２０、液晶層１３０、印刷回路基板１４０、データフレキシブル回路基板１５０、及びゲートフレキシブル回路基板１６０を含む。
【００３８】
第１基板１１０は、互いに交差する複数のデータ配線（図示せず）及び複数のゲート配線（図示せず）を含む。前記データ配線及び前記ゲート配線が交差することにより、複数の単位画素が形成され、前記各単位画素には画素電極（図示せず）及び薄膜トランジスタ（図示せず）が形成される。前記データ配線は前記薄膜トランジスタのソース電極と連結され、前記ゲート配線は前記薄膜トランジスタのゲート電極と連結される。前記画素電極は、前記薄膜トランジスタのドレイン電極と連結される。
【００３９】
第２基板１２０は第１基板１１０と向かい合うように配置され、共通電極及びカラーフィルタを含む。
【００４０】
液晶層１３０は、第１基板１１０及び第２基板１２０の間に介在された液晶で構成され、前記画素電極及び前記共通電極の間に形成された電場によって再配列される。
【００４１】
印刷回路基板１４０は、第１基板１１０の一端部と向かい合うように配置される。印刷回路基板１４０は、画像信号を画像を表示するためのデータ制御信号及びゲート制御信号を発生させる。
【００４２】
データフレキシブル回路基板１５０は、印刷回路基板１４０と第１基板１１０の一端部を電気的に連結させる。具体的に、データフレキシブル回路基板１５０は、印刷回路基板１４０の出力端子及び第１基板１１０のデータ配線と電気的に連結される。データフレキシブル回路基板１５０は、前記データ制御信号の入力を受けてデータ信号を発生させるデータ駆動チップを含む。前記データ駆動チップから発生されたデータ信号は前記データ配線に印加される。
【００４３】
データフレキシブル回路基板１５０は、第１基板１１０の一端部に沿って複数個に配置されることができる。このような複数のデータフレキシブル回路基板１５０のうち、左側端部に配置されたデータフレキシブル回路基板１５０ａは、前記データ制御信号のみならず、前記ゲート制御信号も第１基板１１０に伝送する。この際、第１基板１１０は、前記ゲート制御信号を伝送するためのゲート制御配線１１２ａ〜１１２ｄを更に含む。即ち、前記左側端部に配置されたデータフレキシブル回路基板１５０ａは、前記ゲート制御信号を第１基板１１０のゲート制御配線１１２ａに印加する。
【００４４】
ゲートフレキシブル回路基板１６０は、第１基板１１０の一端部と垂直な他端部に沿って複数個が配置される。一例として、４つのゲートフレキシブル回路基板１６０が第１基板１１０の他端部に沿って配置され、それぞれを順に第１、第２、第３、及び第４ゲートフレキシブル回路基板１６０ａ、１６０ｂ、１６０ｃ、１６０ｄと定義する。
【００４５】
前記第１ゲートフレキシブル回路基板１６０ａは、第１基板１１０のゲート制御配線１１２ａ及びゲート配線と電気的に連結される。前記第１ゲートフレキシブル回路基板１６０ａは、ゲート制御配線１１２ａから前記ゲート制御信号の印加を受け、前記ゲート制御信号に応答してゲート信号を発生する。前記発生されたゲート信号は、前記ゲート配線に印加され前記薄膜トランジスタを制御する。
【００４６】
前記第１ゲートフレキシブル回路基板１６０ａに印加された前記ゲート制御信号は、第１基板１１０のゲート制御配線１１２ｂに更に伝送され、前記第２ゲートフレキシブル回路基板１６０ｂに印加される。前記第２ゲートフレキシブル回路基板１６０ｂは、前記ゲート制御信号に応答してゲート信号を発生し、前記発生されたゲート信号は前記ゲート配線に印加され前記薄膜トランジスタを制御する。
【００４７】
前記第２ゲートフレキシブル回路基板１６０ａに印加された前記ゲート制御信号は、第１基板１１０のゲート制御配線１１２ｃに更に伝送され、前記第３ゲートフレキシブル回路基板１６０ｃに印加される。前記第３ゲートフレキシブル回路基板１６０ｃは、前記ゲート制御信号に応答してゲート信号を発生し、前記発生されたゲート信号は前記ゲート配線に印加され前記薄膜トランジスタを制御する。
【００４８】
前記第３ゲートフレキシブル回路基板１６０ｃに印加された前記ゲート制御信号は、第１基板１１０のゲート制御配線１１２ｄに更に伝送され、前記第４ゲートフレキシブル回路基板１６０ｄに印加される。前記第４ゲートフレキシブル回路基板１６０ｄは、前記ゲート制御信号に応答してゲート信号を発生し、前記発生されたゲート信号は前記ゲート配線に印加され前記薄膜トランジスタを制御する。
【００４９】
このように、前記ゲート制御信号は、第１基板１１０のゲート制御配線１１２ａ〜１１２ｄを通じて前記第１、第２、第３、及び第４ゲートフレキシブル回路基板１６０ａ、１６０ｂ、１６０ｃ、１６０ｄに順次に印加される。
【００５０】
図３は図２のディスプレイユニットのうち、ゲートフレキシブル回路基板を示す斜視図で、図４は図２のＩ−Ｉ’に沿って切断した断面図で、図５は図４のゲートフレキシブル回路基板のうち、ゲート駆動チップを除去した状態を示す平面図である。
【００５１】
図３、図４、及び図５を参照すると、本実施例によるゲートフレキシブル回路基板１６０は、ベース基板１６２、伝送ライン１６４、保護層１６６、ゲート駆動チップ１６８、及び連結伝送ラインＣＬを含む。
【００５２】
ベース基板１６２は、フレキシブルな性質を有する合成樹脂からなり、一例として矩形のプレート形状を有する。
【００５３】
伝送ライン１６４は、ベース基板１６２上に複数個が形成される。この際、伝送ライン１６４の端部には、伝送ライン１６４と第１基板１１０の多数の配線とを連結させるための外部パッドＰＤが形成される。このような外部パッドＰＤは、第１基板１１０と対向するベース基板１６２の端部に複数個が並列に形成される。
【００５４】
伝送ライン１６４の外部パッドＰＤは、導電ボール１２を含む異方性導電フィルム１０を介して第１基板１１０の多様な配線と電気的に連結される。例えば、伝送ライン１６４の外部パッドＰＤは、ゲート制御配線１１２及びゲート配線１１６と電気的に連結される。ここで、ゲート制御配線１１２及びゲート配線１１６は、第１基板１１０の透明基板１１４上に形成される。第１基板１１０の透明基板１１４の端部には、所定の角度に傾いた傾斜部が形成されることができる。前記傾斜部は、ゲートフレキシブル回路基板１６０に対応するように形成される。例えば、前記傾斜部は、ゲートフレキシブル回路基板１６０が収納容器２１０側に曲折される方向に対応して配置される。
【００５５】
伝送ライン１６４は、入力伝送ライン１６４ａ、出力伝送ライン１６４ｂ、及びゲート伝送ライン１６４ｃを含む。入力伝送ライン１６４ａ、ゲート伝送ライン１６４ｃ、及び出力伝送ライン１６４ｂは、図５に示すようにゲートフレキシブル回路基板１６０の長手方向に沿って順次に配置される。
【００５６】
即ち、入力伝送ライン１６４ａは前記長手方向の第１側に配置され、ゲート伝送ライン１６４ｃは前記長手方向の中央に配置され、出力伝送ライン１６４ｂは前記長手方向の第２側に配置される。第１側と第２側は、長手方向の中央を挟んで対向して位置する。この際、入力伝送ライン１６４ａ、ゲート伝送ライン１６４ｃ、及び出力伝送ライン１６４ｂは互いに交差しない。
【００５７】
入力伝送ライン１６４ａは、第１基板１１０のゲート制御配線１１２と電気的に連結され、ゲート制御配線１１２から前記ゲート制御信号の印加を受けて伝送する。出力伝送ライン１６４ｂは、第１基板１１０の次のゲート制御配線１１２と電気的に連結され、ゲート制御配線１１２に前記ゲート制御信号を伝送する。例えば、第１ゲートフレキシブル回路基板１６０ａ上の入力伝送ライン１６４ａ及び出力伝送ライン１６４ｂは、ゲート制御配線１１２ａ及びゲート制御配線１１２ｂを接続し、ゲート制御信号をゲート制御配線１１２ａからゲート制御配線１１２ｃに伝送する。同様に、第２、第３、及び第４ゲートフレキシブル回路基板１６０ｂ、１６０ｃ上の入力伝送ライン１６４ａ及び出力伝送ライン１６４ｂは、それぞれゲート制御配線１１２ｂ及びゲート制御配線１１２ｃ間、ゲート制御配線１１２ｃ及びゲート制御配線１１２ｄ間を接続する。ゲート伝送ライン１６４ｃは、第１基板１１０のゲート配線１１６と電気的に連結され、ゲート配線１１６に前記ゲート信号を伝送する。
【００５８】
保護層１６６は、伝送ライン１６４をカバーするようにベース基板１６２上に形成され、伝送ライン１６４を保護し、ゲート制御信号、ゲート信号等にノイズが発生するのを防止する。保護層１６６は、ゲート駆動チップ１６８が配置される領域及び外部パッドＰＤが配置された領域が開口される。この際、ゲート駆動チップ１６８が配置される領域を駆動チップ領域ＡＲ１と定義し、外部パッドＰＤが配置された領域を連結領域ＡＲ２と定義する。
【００５９】
駆動チップ領域ＡＲ１内には、ゲート駆動チップ１６８を固定させるための内部パッドＢＰが形成される。即ち、内部パッドＢＰは、駆動チップ領域ＡＲ１内のベース基板１６２上に複数個が形成される。内部パッドＢＰは、ゲート駆動チップ１６８の連結端子とはんだ付けによって結合され、ゲート駆動チップ１６８を固定させる。
【００６０】
内部パッドＢＰは入力内部パッドＢＰａ、出力内部パッドＢＰｂ、ゲート内部パッドＢＰｃを含み、選択的にダミー内部パッドＢＰｄを更に含むことができる。前記入力内部パッドＢＰａは、入力伝送ライン１６４ａと電気的に連結され、前記出力内部パッドＢＰｂは、出力伝送ライン１６４ｂと電気的に連結され、前記ゲート内部パッドＢＰｃは、ゲート伝送ライン１６４ｃと電気的に連結される。前記ダミー内部パッドＢＰｄは、どの伝送ライン１６４とも連結されない。
【００６１】
ゲート駆動チップ１６８は、連結端子１６８ａによって駆動チップ領域ＡＲ１内の内部パッドＢＰと結合され、ベース基板１６２上に固定される。ゲート駆動チップ１６８は直六面体形状を有し、平面サイズが、一例として、約１６ｍｍ×１ｍｍである。
【００６２】
ゲート駆動チップ１６８の連結端子１６８ａは、入力端子１６８ａ１、出力端子１６８ａ２、及びゲート端子１６８ａ３を含み、選択的にダミー端子１６８ａ４を含むことができる。
【００６３】
駆動チップ１６８の入力端子１６８ａ１は、前記入力内部パッドＢＰａとはんだ付けによって結合され、入力伝送ライン１６４ａからゲート制御信号の入力を受ける。駆動チップ１６８は、前記ゲート制御信号に応答してゲート信号を発生させる。
【００６４】
駆動チップ１６８の出力端子１６８ａ２は、前記出力内部パッドＢＰｂとはんだ付けによって連結され、駆動チップ１６８に印加されたゲート制御信号を出力伝送ライン１６４ｂに出力する。
【００６５】
駆動チップ１６８のゲート端子１６８ａ３は、前記ゲート内部パッドＢＰｃとはんだ付けによって結合され、前記ゲート信号をゲート伝送ライン１６４ｃに出力する。
【００６６】
駆動チップ１６８のダミー端子１６８ａ４は、前記ダミー内部パッドＢＰｄとはんだ付けによって結合され、駆動チップ１６８をより強くベース基板に固定させる。
【００６７】
図５を更に参照すると、連結伝送ラインＣＬは、入力伝送ライン１６４ａ及び出力伝送ライン１６４ｂを電気的に連結する。具体的に、連結伝送ラインＣＬは、駆動チップ領域ＡＲ１内のベース基板上に配置され、前記入力内部パッドＢＰａ及び前記出力内部パッドＢＰｂを電気的に連結する。
【００６８】
連結伝送ラインＣＬは、入力伝送ライン１６４ａに伝送されたゲート制御信号を直接出力伝送ライン１６４ｂに伝送する。この際、入力伝送ライン１６４ａに伝送されたゲート制御信号は、駆動チップ１６８の内部配線を通じて出力伝送ライン１６４ｂに伝送されることができる。
【００６９】
連結伝送ラインＣＬは、１Ωより小さい抵抗値を有することが好ましく、一例として、０．０１Ω〜１Ωの範囲を有する。駆動チップ領域ＡＲ１内に連結伝送ラインＣＬが複数個で形成される場合、互いに交差しないように形成されることが好ましい。
【００７０】
図５に図示された連結伝送ラインＣＬは、入力伝送ライン１６４ａ及び出力伝送ライン１６４ｂと同じベース基板１６２の一面に形成された。しかし、これと異なり、連結伝送ラインＣＬは、入力伝送ライン１６４ａ及び出力伝送ライン１６４ｂが形成されないベース基板１６２の背面に形成されることができる。このように、連結伝送ラインＣＬは、ベース基板１６２の背面に形成される場合、連結伝送ラインＣＬはベース基板１６２に形成されたビアホール（図示せず）を通じて入力伝送ライン１６４ａ及び出力伝送ライン１６４ｂと電気的に連結されることができる。又、ベース基板１６２が複数の層で形成される場合、連結伝送ラインＣＬは入力伝送ライン１６４ａ及び出力伝送ライン１６４ｂが形成されない層に形成されることができる。
【００７１】
図６は、図４のゲートフレキシブル回路基板のうち、駆動チップを除去した状態の他の例を示す平面図である。ここで、図６は、保護層を除いては、図５と同じ図である。
【００７２】
図６を参照すると、保護層１６７は、入力伝送ライン１６４ａ、出力伝送ライン１６４ｂ、ゲート伝送ライン１６４ｃのみならず、連結伝送ラインＣＬをカバーして保護する。この際、保護層１６７は、内部パッドＢＰと対応されるバンプ領域ＡＲ３及び外部パッドＰＤと対応される連結領域ＡＲ４に開口される。例えば、前記開口された領域は、前記保護層１６７によって前記内部パッドＢＰがカバーされない領域である。
【００７３】
図６のように、保護層１６７が入力伝送ライン１６４ａ、出力伝送ライン１６４ｂ、ゲート伝送ライン１６４ｃのみならず、連結伝送ラインＣＬをカバーして保護することにより、連結伝送ラインＣＬに伝送されるゲート制御信号やゲート信号にノイズが発生することを抑制することができる。
【００７４】
以下、次の実験結果表を参照して、ゲートフレキシブル回路基板の抵抗を説明する。
【００７５】
前記実験結果表は、連結伝送ラインＣＬが形成されない場合の抵抗値及び連結伝送ラインＣＬが形成された場合の抵抗値を比較した表である。この際、前記抵抗値は、ゲート制御信号が複数のゲートフレキシブル回路基板１６０を通過する際の抵抗の数値である。例えば、前記抵抗は、前記連結伝送ライン又は前記駆動チップの内部ラインによって連結されるゲートフレキシブル回路基板１６０の２端部間の抵抗である。
【００７６】
ゲート制御信号は、電源を供給する電源信号及び駆動チップ１６８を制御する制御信号を含む。前記電源信号には、駆動チップ１６８を駆動するための電源を供給する第１及び第２駆動チップ電源信号Ｖｄｄ、Ｖｓｓと、ゲート信号の大きさを決定する第１及び第２ゲートレベル信号Ｖｏｎ、Ｖｏｆｆ等がある。前記制御信号には、ゲート信号を同期化させるクロック信号ＣＰＶ、ゲート信号の開始を知らせるゲート開始信号ＳＴＶ、ゲート信号のノイズを除去するためのゲートイネイブル信号ＯＥ等がある。ここで、前記ゲート信号のノイズは、ゲート信号とゲート信号がオーバーラップされることを意味する。
【００７７】
前記実験結果表を参照すると、第１駆動チップ電源信号Ｖｄｄ、第２駆動チップ電源信号Ｖｓｓ、第１ゲートレベル信号Ｖｏｎ、及び第２ゲートレベル信号Ｖｏｆｆを含む電源信号である場合、連結伝送ラインＣＬが形成されない場合の抵抗値は約１０Ωであるが、連結伝送ラインＣＬが形成された場合の抵抗値は１Ω以下である。
【００７８】
又、クロック信号ＣＰＶ、ゲート開始信号ＳＴＶ、及びゲートイネイブル信号ＯＥを含む制御信号の場合、連結伝送ラインＣＬが形成されない場合の抵抗値は約２６Ωであるが、連結伝送ラインＣＬが形成された場合の抵抗値は１Ω以下である。即ち、前記実験結果表からわかるように、連結伝送ラインＣＬが形成された場合の抵抗値が連結伝送ラインＣＬが形成されない場合の抵抗値より相当に低い。
【００７９】
前記結果の理由を簡単に説明すると、連結伝送ラインＣＬが形成されない場合、前記ゲート制御信号は、駆動チップの内部配線を通じてのみ伝送されるので、前記ゲート制御信号配線の抵抗値は相当に高く不規則である。
【００８０】
反面、連結伝送ラインＣＬが形成された場合には、前記ゲート制御信号は大部分連結伝送ラインＣＬを通じて伝送されるので、前記ゲート制御信号が感じる配線の抵抗値は非常に小さい。
【００８１】
このように、駆動チップ領域ＡＲ１内に連結伝送ラインＣＬを形成して、入力伝送ライン１６４ａと出力伝送ライン１６４ｂを直接電気的に連結することにより、前記ゲート制御信号の抵抗は相当に低い値を有することになり、その結果、前記ゲート制御信号の遅延が発生することを防止することができる。
【００８２】
このような本発明によると、駆動チップ領域内に連結伝送ラインを形成して、入力伝送ラインと出力伝送ラインを直接電気的に連結する。よって、ゲート制御信号は、駆動チップの内部配線の代わりに、連結伝送ラインを通じて伝送される。ここで、連結伝送ラインは駆動チップの内部ラインより小さい抵抗を有しており、その結果、ゲート制御信号が伝送される時の抵抗値がより減少する。つまり、配線抵抗によってゲート制御信号の遅延が発生されることを防止することができる。その結果、ゲート信号に悪影響を与えることを防止して、画像の表示品質をより向上させることができる。
【００８３】
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００８４】
本発明は、配線による遅延を防止する必要のある各種装置に適用可能である。
【図面の簡単な説明】
【００８５】
【図１】本発明の一実施例による表示装置を示す斜視図である。
【図２】図１の表示装置のうち、ディスプレイユニットを拡大して示す平面図である。
【図３】図２のディスプレイユニットのうち、ゲートフレキシブル回路基板を示す斜視図である。
【図４】図２のＩ−Ｉ’に沿って切断した断面図である。
【図５】図４のゲートフレキシブル回路基板のうち、駆動チップを除去した状態の一例を示す平面図である。
【図６】図４のゲートフレキシブル回路基板のうち、駆動チップを除去した状態の他の例を示す平面図である。
【符号の説明】
【００８６】
１０    異方性導電フィルム
１００    ディスプレイユニット
１１０    第１基板
１２０    第２基板
１３０    液晶層
１４０    印刷回路基板
１５０    データフレキシブル回路基板
１６０    ゲートフレキシブル回路基板
１６２    ベース基板
１６４    伝送ライン
１６６    保護層
１６８    駆動チップ
ＣＬ    連結伝送ライン